(57)【特許請求の範囲】
【請求項１】
有価価値が関連付けられた記録媒体を受け入れ、該有価価値に基づいて遊技媒体を貸し出す処理を行う記録媒体処理装置と、前記遊技媒体を用いて遊技を行う遊技機とを有する遊技システムにおいて、
デビットカードからカード情報を読み取り、該カード情報と指定金額とを通信回線を介してデビットシステムのセンタ処理装置に送信することにより、該センタ処理装置に対して当該カード情報に対応した口座から前記指定金額を引き落とす決済処理を行わせる決済処理端末と、
貨幣の投入により該投入された貨幣の金額に対応した有価価値が関連付けられた記録媒体を発行する第１の処理と、前記センタ処理装置からの前記決済処理の完了通知に基づく前記決済処理端末からの記録媒体発行許可通知により前記指定金額に対応した有価価値が関連付けられた記録媒体を発行する第２の処理とを行う媒体発行機と、
前記媒体発行機から発行された記録媒体の有価価値を管理する管理装置と
を備え、
前記管理装置は、
前記第１の処理により前記録媒体発行機から発行された記録媒体の発行額を集計して管理する第１の集計管理手段と、
前記第２の処理により前記録媒体発行機から発行された記録媒体の発行額を集計して管理する第２の集計管理手段と
を有し、
前記決済処理端末は、
前記デビットカードからカード情報を読み取るカード情報読取手段と、
前記媒体発行機で選択された発行する記録媒体の金額を取得する取得手段と、
前記取得手段で取得した金額を前記指定金額として前記カード情報読取手段で読み取ったカード情報と前記指定金額を前記センタ処理装置に送信する送信手段と、
前記決済処理の完了通知を前記センタ処理装置から受信する受信手段と、
前記受信手段で受信した決済完了通知に基づき前記媒体発行機に対して記録媒体発行許可通知を行う通知手段と
を具備し、
前記媒体発行機は、
貨幣を投入する貨幣投入手段と、
前記記録媒体の発行に係わる金額を選択する選択手段と、
前記貨幣投入手段で投入された貨幣の金額の範囲内で前記選択手段により選択された金額に対応した有価価値が関連付けられた記録媒体を発行する処理を前記第１の処理として行うとともに、前記通知手段により通知された記録媒体発行許可通知に基づき前記指定金額に対応した有価価値が関連付けられた記録媒体を発行する処理を前記第２の処理として行う媒体発行手段と
を具備することを特徴とする遊技システム。
【発明の詳細な説明】
【０００１】
【発明の属する技術分野】
本発明は、遊技を可能ならしめる記録媒体（以下、単に「プリペイドカード」という。）を発行する記録媒体発行機（以下、単に「カード発行機」という。）を備えた遊技場の遊技システムに関し、特に、このカード発行機から発行されるカードの発行／利用に関する情報の管理形態の改良化に関する。
【０００２】
【従来の技術】
近年、この種の遊技場の遊技システムにおいては、磁気カード等のプリペイドカードを使用して、そのプリペイドカードの記録情報により特定される有価価値を使用して遊技媒体を用いた遊技を可能にするカードシステムが採用されている。
【０００３】
ところで、現状のカードシステムにおいては、上記プリペイドカードをカード発行機で貨幣（現金）により発行している。
【０００４】
そして、遊技場では、遊技客が遊技を行う際にプリペイドカードを購入するため支払う現金を回収している。
【０００５】
このため、遊技場内には多額の現金が存在することになる。
【０００６】
【発明が解決しようとする課題】
上述の如く、従来の遊技システムにあっては、貨幣（現金）でプリペイドカードを発行しているため遊技場内に多額の現金が存在することになり、現金の集計および管理に大変な労力を要することになる。また、遊技場内に多額の現金が存在することで強盗などの犯罪の対象となる事が多い。
【０００７】
そこで、本発明は、遊技場内に多額の現金が存在するような状況を一刻も早く取り除くのに有効なカードシステムを備えた遊技システムを提供することを目的とする。
【０００８】
【課題を解決するための手段】
上記目的を達成するために、請求項１記載の発明は、有価価値が関連付けられた記録媒体を受け入れ、該有価価値に基づいて遊技媒体を貸し出す処理を行う記録媒体処理装置と、前記遊技媒体を用いて遊技を行う遊技機とを有する遊技システムにおいて、デビットカードからカード情報を読み取り、該カード情報と指定金額とを通信回線を介してデビットシステムのセンタ処理装置に送信することにより、該センタ処理装置に対して当該カード情報に対応した口座から前記指定金額を引き落とす決済処理を行わせる決済処理端末と、貨幣の投入により該投入された貨幣の金額に対応した有価価値が関連付けられた記録媒体を発行する第１の処理と、前記センタ処理装置からの前記決済処理の完了通知に基づく前記決済処理端末からの記録媒体発行許可通知により前記指定金額に対応した有価価値が関連付けられた記録媒体を発行する第２の処理とを行う媒体発行機と、前記媒体発行機から発行された記録媒体の有価価値を管理する管理装置とを備え、前記管理装置は、前記第１の処理により前記録媒体発行機から発行された記録媒体の発行額を集計して管理する第１の集計管理手段と、前記第２の処理により前記録媒体発行機から発行された記録媒体の発行額を集計して管理する第２の集計管理手段とを有し、前記決済処理端末は、前記デビットカードからカード情報を読み取るカード情報読取手段と、前記媒体発行機で選択された発行する記録媒体の金額を取得する取得手段と、前記取得手段で取得した金額を前記指定金額として前記カード情報読取手段で読み取ったカード情報と前記指定金額を前記センタ処理装置に送信する送信手段と、前記決済処理の完了通知を前記センタ処理装置から受信する受信手段と、前記受信手段で受信した決済完了通知に基づき前記媒体発行機に対して記録媒体発行許可通知を行う通知手段とを具備し、前記媒体発行機は、貨幣を投入する貨幣投入手段と、前記記録媒体の発行に係わる金額を選択する選択手段と、前記貨幣投入手段で投入された貨幣の金額の範囲内で前記選択手段により選択された金額に対応した有価価値が関連付けられた記録媒体を発行する処理を前記第１の処理として行うとともに、前記通知手段により通知された記録媒体発行許可通知に基づき前記指定金額に対応した有価価値が関連付けられた記録媒体を発行する処理を前記第２の処理として行う媒体発行手段とを具備することを特徴とする。
【００１４】
【発明の実施の形態】
以下、本発明に係る一実施の形態を添付図面を参照して詳細に説明する。
【００１５】
図１は、本発明の遊技システムの全体構成を示すブロック図である。
【００１６】
図１において、この遊技システムは、パチンコ店などの遊技場に設置されるシステムを前提としている。
【００１７】
この遊技システムの核であるパチンコ店３〔３−１，３−２，〜，３−ｎ（ｎ：任意の整数）〕内には、後述する各島３０の各構成要素から収集したデータを管理するターミナルコントローラ（以下、単に「Ｔ／Ｃ」という。）２０、複数の島３０が設置され、このＴ／Ｃ２０と各島３０は、後述の島コントローラ４０を介してＬＡＮ（ローカルエリアネットワーク）２５により相互に接続されている。
【００１８】
各島３０は、島コントローラ（以下、単に「Ｓ／Ｃ」という。）４０、該Ｓ／Ｃ４０により制御される複数の遊技ユニット５０、プリペイドカード等のカードの販売を行うカード発行機６０、これらカードの精算（カードに記憶された有価価値の残価に応じた現金等の払い出し）を行うカード精算機７０等により構成されている。
【００１９】
ここで、カード発行機６０は、通常、各島３０毎に１台程度設けられ、カード発行時に当該カードに対してＩＤ番号（磁気ストライプには媒体ＩＤ、表面には目視可能な表示ＩＤ）を付与する。すなわち、カード発行機６０では、貨幣の投入後、遊技客により金額が選択指定されると、この選択指定された金額分の金額データ（初期度数）と共に発行店、日付、媒体ＩＤ等の情報をカードの磁気ストライプ部に磁気記録し、かつカード表面に金額と表示ｌＤを印字したプリペイドカード６１を発行する。なお、磁気ストライプ部に記録された媒体ＩＤは暗号化されており、カード表面に印字された表示ＩＤとは異なっているのがセキュリティの保護の為には有益である。
【００２０】
また、遊技ユニット５０は、遊技機５１０と、隣接する遊技機５１０との間の台間に設けられるカード処理ユニット５２０とにより構成される。カード処理ユニット５２０は、カード挿入口及び貸し出し要求手段を少なくとも有し、遊技客によりカード挿入口に例えばプリペイドカード６１が挿入されると、Ｔ／Ｃ２０に問い合わせてその有価価値データを取得し、遊技客による遊技機５１０への遊技媒体の貸し出し要求に基づき、当該有価価値データ（残度数）の範囲内で、遊技媒体を貸し出す処理を行う。遊技客は、この遊技媒体を用いてパチンコ等のプレイを行うことができる。なお、本システムにおいて、遊技機５１０の種別としては、パチスロ機、ＣＲパチンコ台、パチンコ台等があり、カード処理ユニットとしては、上記種別に対応して、カードメダル貸機、ＣＲカードユニット、カード玉貸機等がある。
【００２１】
上述した各島３０の構成要素は、通信線で接続され、Ｓ／Ｃ４０を介してＴ／Ｃ２０との間でデータ交換を行うことができるようになっている。
【００２２】
Ｔ／Ｃ２０は、各島３０の各構成要素から収集したデータを基に各種データベースを構築すると共に、これらデータを逐次イベントがある毎に更新する。例えば、図２に示す如く、カード発行機６０にて発行されたカードに関する種々の情報をそのカードＩＤを基に管理している。
更に、このＴ／Ｃ２０は、パチンコ店外のカード会社センタ１の経営コンピュータと公衆回線網２により接続されており、この経営コンピュータを用いてＴ／Ｃ２０内のデータを管理できるようになっている。
【００２３】
以上の各構成要素を含む部分全体は、パチンコ店などの遊技場向けに普及しているプリペイドカードシステムと呼べるものである。
【００２４】
なお、本発明の遊技システムの構成上の特徴として、上記各パチンコ店内の島３０の構成要素として更にデビット端末機８０が追加されている。
【００２５】
このデビット端末機８０は、図１に示す如く、上述したカード発行機６０に隣接して設置され、かつ当該カード発行機６０と通信線により接続されている。
【００２６】
このデビット端末機８０は、パチンコ店３の店外において、公衆回線網４を介してデビットカード利用時の決済通信を行なう情報処理センタ５に接続されている。
【００２７】
そして、この情報処理センタ５は、デビットカードシステムの核となり、カード発行銀行７−１、決済銀行７−２、加盟店銀行７−３間で決済処理を一括して管理処理するＣＡＦＩＳ（Credit and Finance Information System）ネットワーク６のクリアリングセンタと接続されている。
【００２８】
なお、このように、上記ＣＡＦＩＳネットワーク６を核とし、更に、情報処理センタ５からパチンコ店３内に設置されたデビット端末機８０へとつながる部分全体が、デビットカードシステムと呼べるものである。
【００２９】
このことから、本発明のシステム（図１参照）は、デビットカードシステムの末端のデビット端末８０をプリペイドカードシステムの末端のカード発行機６０に接続し、各パチンコ店３内の構成要素としたものと言える。
【００３０】
そして、この本発明のシステムにおいて、デビット端末８０は、接続されたカード発行機６０と協同し、該カード発行機６０からのプリペイドカード６１の発行に関するデビットカード（キャッシュカード）による決済処理機能を有するものである。
【００３１】
なお、ここで、上記構成のシステムにおいて、遊技客がデビットカードを用いてプリペイドカードを購入した場合の、デビットカードシステムにおける決済処理の流れについて説明しておく。
【００３２】
まず、遊技客がパチンコ店３−１内に設置されたデビット端末機８０の所定の挿入口からキャッシュカード８１を挿入するとともに、暗証番号を入力する。その後、遊技客は、同じくパチンコ店３−１内に設置されたカード発行機６０の所定の金額選択ボタンを用いて所望する金額を選択指定する。
【００３３】
これにより、デビット端末機８０が、公衆回線網４を介して情報処理センタ５に対して当該カード情報に対応した口座から指定金額を引き落とす決済処理のための通信を行ない、キャッシュカード８１のカードＩＤ、暗証番号、指定金額のデータ等を送信する。
【００３４】
情報処理センタ５は、決済通信を受けると、受け取った各種データをもとに、ＣＡＦＩＳ（Credit and Finance Information System）ネットワーク６のクリアリングセンタに決済処理を指示する。
【００３５】
この指示を受けたクリアリングセンタは、カード発行銀行７−１、決済銀行７−２、加盟店銀行７−３間で決済処理を行ない、最終的に、その決済処理により手数料等を差し引かれた代金を加盟店銀行７−３の情報処理センタ５の口座に振り込む。
【００３６】
その後、この加盟店銀行７−３の情報処理センタ５の口座に振り込まれた代金から情報処理センタ５の手数料を差し引いた代金が、××銀行７−４のカード会社の口座に振り込まれる。
【００３７】
その後、カード会社とパチンコ店の取り決めによる振り込みに応じて、××銀行７−４のカード会社１の口座に振り込まれた代金からパチンコ店３−１の当該口座７−５にプリペイドカードの使用度数に応じた代金が振り込まれる。
【００３８】
図２は、上記図１に示したＴ／Ｃ２０のメモリ内に格納されるデータベースの一構成例を示す図である。
【００３９】
図２（ａ）において、このデータベース２０１には、プリペイドカードのカードＩＤと関連付けて遊技情報がレコード形式で記憶され、「カードＩＤ」に対応して、「購入度数」、「残度数」、「有効フラグ」等の情報が記憶されている。
【００４０】
図３は、上記図２に示したデータベース２０１とは別に、上記図１に示したＴ／Ｃ２０のメモリ内に格納されるデータベース２０２、２０３の一構成例を示す図である。
【００４１】
図３において、同図３（ａ）に示すデータベース２０２には、カード発行機６０にて発行されるプリペイドカード６１のカードに関する情報として、デビットカード８１により発行されたプリペイドカード６１の発行・利用に関する情報がレコード形式で記憶される。一例としては、「カード発行機のＮｏ．」に対応して、「デビットカードにより発行されたプリペイドカードのＩＤ」、「購入金額」等の情報が記憶されている。
【００４２】
また、同図３（ｂ）に示すデータベース２０３には、カード発行機６０にて発行されるプリペイドカード６１のカードに関する情報として、貨幣（現金）により発行されたプリペイドカード６１の発行・利用に関する情報がレコード形式で記憶される。一例としては、「カード発行機のＮｏ．」に対応して、「貨幣により発行されたプリペイドカードのＩＤ」、「購入金額」等の情報が記憶されている。
【００４３】
図４は、同じく上記図１に示したＴ／Ｃ２０のメモリ内に格納されるデータベースであり、上記図３に示すデータベース２０２および２０３をもとにＴ／Ｃ２０にて算出された情報をレコード形式で記憶したデータベース２０４の一構成例を示す図である。
【００４４】
図４において、このデータベース２０４には、上記図３に示すデータベース２０２およびデータベース２０３をもとに算出された各カード発行機６０毎のデビットカードにより発行されたプリペイドカードの１日当りの売上と貨幣（現金）により発行されたプリペイドカードの１日当りの売上を示す情報と、全てのカード発行機６０でのデビットカードにより発行されたプリペイドカード６１の総売上と貨幣（現金）により発行されたプリペイドカード６１の総売上を示す情報とが記憶されている。
【００４５】
なお、このデータをもとに、月毎の全てのカード発行機６０でのデビットカードにより発行されたプリペイドカード６１の総売上を示す情報と貨幣により発行されたプリペイドカード６１の総売上を示す情報とを求めて管理するようにしても良いものとする。
【００４６】
次に、このような構成による本発明に係るカード発行情報の管理処理動作について説明する。
【００４７】
図５は、上記図１に示したカード発行機６０で発行されたカードの発行および利用に関する情報がターミナルコントローラ（Ｔ／Ｃ）２０に集計管理されるまでの手順を示す図であり、特にデビット端末機８０とカード発行機６０とターミナルコントローラ（Ｔ／Ｃ）２０の概略構成を示し、遊技客によりデビットカード８１を用いてプリペイドカード６１が発行された場合に、そのカードの発行および利用に関する情報が集計されるまでの処理の流れ（▲１▼〜▲６▼）と、遊技客により貨幣（特に、紙幣）を用いてプリペイドカードが発行された場合に、そのカードの発行および利用に関する情報が集計されるまでの処理の流れ（▲１▼’〜▲４▼’）を、通し番号により簡略的に示している。
【００４８】
また、図６及び図７は、上記２つの処理の流れ（▲１▼〜▲６▼）および（▲１▼’〜▲４▼’）を更に詳細に説明するための図であり、図６が、デビットカードによりプリペイドカードが発行された場合のカード発行／利用に関する情報の集計処理のシーケンスを示し、図７が、貨幣（紙幣）によりプリペイドカードが発行された場合のカード発行／利用に関する情報の集計処理のシーケンスを示している。
【００４９】
ここで、まず、上記図５および図６を参照にして、遊技客によりデビットカード８１を用いてプリペイドカード６１が発行された場合に、カード発行／利用に関する情報が集計されるまでの処理の流れ（▲１▼〜▲６▼）について説明する。
【００５０】
図５および図６において、まず、▲１▼：デビット端末機において、遊技客によって、キャッシュカード挿入／排出口８０２からキャッシュカード８１が挿入され、その後、暗証番号が入力される（ステップＳ１０１ＹＥＳ）。
すると、カード発行機６０では、キャッシュカード挿入通知（ステップＳ１０２）により、キャッシュカード８１の挿入が検知され、プリペイドカード６１の金額選択ボタン６０２のバックライトが点灯される（ステップＳ１０３）。
【００５１】
▲２▼：その後、遊技者によって、所定の金額選択ボタン６０２が押下されると（ステップＳ１０４ＹＥＳ）、カード発行機６０では、デビット端末機８０に対して、押下された金額選択ボタン６０２に対応する金額情報が通知される（ステップＳ１０５）。
【００５２】
▲３▼：これを受けて、デビット端末機８０では、デビットカードシステムの情報処理センタ５に対し、当該カード情報に対応した口座から指定金額を引き落とす決済処理のための通信が行なわれ（ステップＳ１０６）、キャッシュカード８１のＩＤ、暗証番号、指定金額のデータが送信される（ステップＳ１０７）。
【００５３】
情報処理センタ５では、上記各種データを受け取ると、ＣＡＦＩＳネットワーク６のクリアリングセンタに対して決済処理の指示が行なわれる（ステップＳ１０８）。
【００５４】
その後、ＣＡＦＩＳネットワーク６のクリアリングセンタから認証処理の結果、決済が可能であると判断され、決済が完了した旨通知されると、情報処理センタ５では、デビット端末機８０に決済が完了した旨通知される（ステップＳ１０９）。
【００５５】
▲４▼：この通知を受けたデビット端末機８０では、キャッシュカード挿入／排出口８０２からキャッシュカード８１の排出（返却）が行なわれる（ステップＳ１１０）とともに、カード発行機６０に対してプリペイドカード６１の発行許可の通知が行なわれる（ステップＳ１１１）。
【００５６】
▲５▼：この通知を受けたカード発行機６０では、遊技客により選択押下された金額選択ボタン６０２の金額に相当する価値を持つプリペイドカードがカード発行口６０３から発行される（ステップＳ１１２）。
【００５７】
▲６▼：その後、このカード発行機６０では、ターミナルコントローラ（Ｔ／Ｃ）２０に対しデビットカード（キャッシュカード８１）によるカード発行及びその発行されたカードの金額情報が通知される（ステップＳ１１３）。
【００５８】
これにより、ターミナルコントローラ（Ｔ／Ｃ）２０では、デビットカード（キャッシュカード８１）によるプリペイドカード６１の発行およびその発行されたカードの金額情報が集計されて管理される（ステップＳ１１４）。
【００５９】
尚、上記ステップＳ１０８の処理により、ＣＡＦＩＳネットワーク６のクリアリングセンタから認証処理の結果、決済が不可能であると判断された場合（例えば、暗証番号の不一致、残額不足等）、デビット端末機８０に対してＮＧが通知され、デビット端末機８０では、該当するキャッシュカード８１が返却され、ここでの処理が終了される。
【００６０】
次に、上記図５および図７を参照にして、遊技客により紙幣６２を用いてプリペイドカード６１が発行された場合に、カード発行／利用に関する情報が集計されるまでの処理の流れ（▲１▼’〜▲４▼’）について説明する。
【００６１】
図５および図７において、まず、▲１▼’：カード発行機６０において、遊技客によって紙幣投入出口６０１から紙幣（１０００円、５０００円、１０００円札など）が挿入される。
【００６２】
すると、カード発行機６０では、紙幣の挿入が検知され（ステップＳ２０１ＹＥＳ）、該検知された金額内で発行可能な金額選択ボタン６０２のバックライトが点灯される（ステップＳ２０２）。
【００６３】
▲２▼’：その後、遊技客によって、所定の金額選択ボタン６０２が押下されると（ステップＳ２０３ＹＥＳ）、カード発行機６０では、遊技客により選択押下された金額選択ボタン６０２の金額に相当する価値を持つプリペイドカード６１がプリペイドカード発行口６０３から発行される（ステップＳ２０４）とともに、釣銭があれば、釣銭が紙幣投入出口６０１から払い出される。
【００６４】
▲４▼’：また、カード発行機６０では、カード６１が発行された後、ターミナルコントローラ（Ｔ／Ｃ）２０に対して紙幣によるカード発行およびその発行されたカードの金額情報が通知される。
【００６５】
これにより、ターミナルコントローラ（Ｔ／Ｃ）２０では、紙幣６２によるプリペイドカード６１の発行およびその発行されたカード６１の金額情報が集計されて管理される（ステップＳ２０５）。
【００６６】
このように、本発明の特徴的な形態としては、上記（▲６▼）と（▲４▼’）の集計を別々に行なうことにある。
【００６７】
この構成によると、新システム（デビットカードによるプリペイドカードの発行システム）と旧システム（貨幣によるプリペイドカードシステムの発行システム）を併用する際に、カード発行機にて発行されるプリペイドカードの発行・利用に関する情報を、デビットカードにより発行されたプリペイドカードのものと、貨幣（現金）により発行されたプリペイドカードのものとを別々に集計して管理するようにしているので、旧システムから新システムへのシステム変更に伴う過渡的な混乱が生じる虞を考慮して新システムが定着するまで新システムと旧システムを併用する際、デビットカードにより発行された記録媒体の全売り上げと貨幣（現金）により発行された記録媒体の全売り上げのうちどちらがどの程度多いか、また、以前に比べて、貨幣により発行された記録媒体の売り上げがどの程度減少し、それに対しデビットカードにより発行された記録媒体の全売り上げがどの程度増えたか等の情報を遊技店或いはカード会社に提供することができ、これにより、新システムの定着の程度等の判断が行える、すなわち、デビットカードでのキャッシュレス化が、どの程度定着しているか、当該遊技店内において、どの程度現金でのカード発行が必要とされているかなどの判断ができる。
【００６８】
また、この判断材料により、デビットカードでのキャッシュレス化が進んでいれば、遊技場内に設置された現金による利用が可能なカード発行機の台数を極端に減らす等、遊技客に現金を極力使わせないようにして、遊技場内における現金の量を飛躍的に減少させることも可能となり、これにより、現金の収集または管理を行う業務の効率化が図れ、且つ遊技店を狙った強盗などの犯罪を減少させることが可能となる。
【００６９】
なお、上記実施例では、カード発行機６０とデビット端末機８０とを別々のユニットで構成しているが、これに限定されず、両方の機能を備えた一体型の１つのユニットで構成しても良いものとする。
【００７０】
また、デビット決済において暗証番号を入力するタイミングは、上述のようにキャッシュカードが挿入された直後の他に、カード発行機において金額が選択された後等が考えられる。
【００７１】
【発明の効果】
以上説明したように、本発明によれば、デビットカードを用いた記録媒体の発行額と現金を用いた記録媒体の発行額とを別々に集計管理しているので、デビットカードを用いたキャッシュレス化がどの程度進んでいるか、現金でのカード発行がどの程度必要であるかを容易に知ることができる。
【図面の簡単な説明】
【図１】本発明の遊技システムの全体構成を示すブロック図。
【図２】図１に示したＴ／Ｃのワークステーション内のメモリに格納されるデータベースの一構成例を示す図。
【図３】図１に示したＴ／Ｃのワークステーション内のメモリに格納されるデータベースの一構成例を示す図。
【図４】図３に示すデータベースをもとにＴ／Ｃにて算出された情報をレコード形式で記憶したデータベースの一構成例を示す図。
【図５】図１に示したカード発行機で発行されたカードの発行および利用に関する情報がターミナルコントローラ（Ｔ／Ｃ）に集計管理されるまでの手順を示す図。
【図６】図５に示した処理の流れ（▲１▼〜▲６▼）を更に詳細に説明するためのシーケンス図。
【図７】図５に示した処理の流れ（▲１▼’〜▲４▼’）を更に詳細に説明するためのシーケンス図。
【符号の説明】
１…カード会社センタ、２…公衆回線網、３−１〜３−ｎ…パチンコ店、４…公衆回線網、５…情報処理センタ、６…ＣＡＦＩＳネットワーク、７−１…カード発行銀行、７−２…決済銀行、７−３…加盟店銀行（情報処理センタ口座）、７−４…××銀行（カード会社）、７−５…パチンコ店口座、２０…ターミナルコントローラ（Ｔ／Ｃ）、３０…島、４０…島コントローラ（Ｓ／Ｃ）、５０…遊技ユニット、６０…カード発行機、７０…精算機、８０…デビット端末機、５１０…遊技機、５２０…カード処理ユニット、２１０…ワークステーション、２１０−１…制御部、２１０−２…メモリ、２１０−３…表示部、２１０−４…入出力部、２２０…パーソナルコンピュータ、２３０…プリンタ、２４０…会員カード発行機、６１…プリペイドカード、６２…紙幣、８１…キャッシュカード、６０１…紙幣投入口、６０２…金額選択ボタン、６０３…プリペイドカード発行口、８０１…表示部、８０２…キャッシュカード挿入／排出口、８０３…暗証番号入力キー
【図１】
0003955921.tif 000002
【図２】
0003955921.tif 000003
【図３】
0003955921.tif 000004
【図４】
0003955921.tif 000005
【図５】
0003955921.tif 000006
【図６】
0003955921.tif 000007
【図７】
0003955921.tif 000008